(57)【特許請求の範囲】
【請求項１】
Ｕ字状の切り欠きを有するプレートにケーブルを固定するためのワンタッチキャップであって、
ケーブルの周囲に固定される本体と、
その本体に固定され、プレートの一面と当接するストッパと、
そのストッパと対向するように本体に軸方向移動自在に設けられ、プレートの他面と当接するソケットと、
そのソケットをストッパ側に付勢するバネと、
ストッパとソケットの間に介在されるロック位置と、それらの間から半径方向外側に抜け出るロック解除位置との間で移動自在に設けられると共に、本体をプレートのＵ字状の切り欠きに挿入するとき、プレートと係合してロック解除位置側に押される係合部を有するロック部材、
とを備えているケーブル固定用のワンタッチキャップ。
【請求項２】
前記ロック部材の係合部が、プレートの切り欠きの開放側の端縁と係合するものである請求項１記載のワンタッチキャップ。
【請求項３】
前記本体の外周に雄ネジが形成されており、前記ソケットがその雄ネジと螺合する雌ネジを有し、前記バネがソケットに対して回転方向に付勢するものである請求項１記載のワンタッチキャップ。
【請求項４】
前記ロック部材がストッパに対して半径方向に移動自在に取り付けられている請求項３記載のワンタッチキャップ。
【請求項５】
前記ストッパが本体の雄ネジに螺合され、かつ、その回転を止める手段を備えている請求項３記載のワンタッチキャップ。
【請求項６】
前記プレートが、実質的に円形の開口部と、その開口部の直径より幅が狭い挿入口とを有し、前記ソケットおよび（または）ストッパのプレートと当接する面に、開口部と嵌合する突起が設けられている請求項１記載のワンタッチキャップ。
【発明の詳細な説明】
【０００１】
【発明の属する技術分野】
本発明はコントールケーブルの端部あるいは中間部をプレートに固定するためのワンタッチキャップに関する。
【０００２】
【従来の技術】
ヨーロッパ特許公報（ＥＰ）第７０３３９５Ｂ１には、図６に示すようなワンタッチキャップ１００が記載されている。このワンタッチキャップ１００はケーブル１０１などを、略Ｕ字状の切り欠き１０２を有するプレート１０３に対し、長手方向に移動しないように固定するためのものである。切り欠き１０２は図７に示すように、円形の開口部１０２ａと、その開口部の直径より幅が狭い挿入部１０２ｂとを有し、その挿入部１０２ｂはプレート１０３の端縁側に開放されている。ワンタッチキャップ１００は、プレート１０３の一面と当接する肩部１０４およびプレートの挿入部１０２ｂに横方向に挿入しうるネジ部１０５とを備えた本体１０６と、ネジ部１０５に螺合する可動要素１０７と、可動要素１０７を肩部１０４側に螺進する回転方向に付勢するリコイルバネ１０８とを有する。
【０００３】
上記のように構成されるワンタッチキャップ１００をプレート１０３に取り付けるには、まず、可動要素１０７をリコイルバネ１０８の付勢力に抗して回転させて肩部１０４から離した状態に保持する。ついで肩部１０４と可動要素１０７の隙間にプレート１０３が入るようにして、ネジ部１０５の根元部を切り欠き１０２に挿入し、可動要素１０７を開放する。それにより可動要素１０７はリコイルバネ１０８の付勢力によりネジ部１０５上を螺進し、可動要素１０７と肩部１０４の間にプレート１０３を挟み込む。それによりケーブル１０１を長手方向に移動しないようにプレート１０３に固定することができる。
【０００４】
なお図６の符号１０９はＯリングである。また前記公報には、可動要素１０７（または肩部１０４）に切り欠き１０２の円形の開口部１０２ａに対して自動的に芯合わせをするためのテーパー面１１０を設けることが記載されている。
【０００５】
【発明が解決しようとする課題】
前記ヨーロッパ特許のワンタッチキャップ１００では、リコイルバネ１０８の付勢力で可動要素１０７を回転させ、可動要素１０７と肩部１０４でプレート１０３を挟み付けている。そのため、可動要素１０７を手動操作で回転させなくても、しっかりと取り付けることができ、ケーブル１０１や本体１０６に軸心方向の外力が加わってもその方向に移動しない。しかし可動要素１０７には常時リコイルバネ１０８の付勢力が加わっているため、本体１０６をプレート１０３の切り欠き１０２内に挿入する間、ずっと可動要素１０７が回転しないように押さえておく必要がある。そのため、片手での操作が困難であり、両手を用いる場合は狭いスペースでケーブルを取り付けるときに不便である。
【０００６】
本発明はあらかじめ可動要素を所定位置にセットした後は押さえておく必要がなく、そのため片手でも取付操作が容易なケーブル固定用のワンタッチキャップを提供することを技術課題としている。
【０００７】
【課題を解決するための手段】
本発明のケーブル固定用のワンタッチキャップ（請求項１）は、Ｕ字状の切り欠きを有するプレートにケーブルを固定するためのワンタッチキャップであって、ケーブルの周囲に固定される本体と、その本体に固定され、プレートの一面と当接するストッパと、そのストッパと対向するように本体に軸方向移動自在に設けられ、プレートの他面と当接するソケットと、そのソケットをストッパ側に付勢するバネと、ストッパとソケットの間に介在されるロック位置と、それらの間から半径方向外側に抜け出るロック解除位置との間で移動自在に設けられると共に、本体をプレートのＵ字状の切り欠きに挿入するとき、プレートと係合してロック解除位置側に押される係合部を有するロック部材、とを備えていることを特徴としている。
【０００８】
このようなワンタッチキャップにおいては、前記ロック部材の係合部が、プレートの切り欠きの開放側の端縁と係合するものが好ましい（請求項２）。また、前記本体の外周に雄ネジが形成されており、前記ソケットがその雄ネジと螺合する雌ネジを有し、前記バネがソケットに対して回転方向に付勢するものがさらに好ましい（請求項３）。その場合、前記ロック部材がストッパに対して半径方向に移動自在に取り付けられているものが好ましい（請求項４）。さらに前記ストッパが本体の雄ネジに螺合され、かつ、その回転を止める手段を備えているものが好ましい（請求項５）。また、前記プレートが、実質的に円形の開口部と、その開口部の直径より幅が狭い挿入口とを有する場合は、前記ソケットおよび（または）ストッパのプレートと当接する面に、開口部と嵌合する突起を設けるのが好ましい（請求項６）。
【０００９】
【作用および発明の効果】
本発明のワンタッチキャップ（請求項１）では、プレートに取り付ける前にソケットを後退させ、その状態でロック部材をソケットとストッパとの間に介在させておく。そのようなロック状態ではソケットがバネの付勢力でストッパ側に付勢されても、ロック部材があるため、ソケットとストッパとの間に所定の間隔が維持される。したがって手でソケットを押さえておく必要がない。そしてワンタッチキャップをプレートの切り欠きに挿入すると、ストッパがプレートと係合して、ロック状態が解除される。したがってソケットがバネの付勢力でストッパ側に移動し、ソケットとストッパの間にプレートを挟着する。このように本発明のワンタッチキャップでは、プレートに挿入するときに半自動的にロックが解除されるので、取り付け操作を片手で容易に行うことができる。
【００１０】
前記ロック部材の係合部が、プレートの切り欠きの開放側の端縁と係合するものである場合（請求項２）は、従来のプレートをそのまま用いることができる。すなわち開放側の端縁は、ワンタッチキャップを挿入する方向に対向しているので、その方向に挿入するときにロック部材と係合させると、本体などを切り欠きの底部側に押し込むとき、ロック部材が自然に残され、ソケットとストッパの間から抜け出ることになり、ロックが解除される。また、ロック部材はストッパやソケットの挿入方向の後側に配置できるので、本体のうち切り欠きの円形の開口部に入り込む部分やケーブルと干渉しない。そのため構造が簡単になる。
【００１１】
また、前記本体の外周に雄ネジが形成されており、前記ソケットがその雄ネジと螺合する雌ネジを有し、前記バネがソケットに対して回転方向に付勢するもの（請求項３）は、ソケットがバネの付勢力で螺進し、ストッパとソケットがネジの作用でプレートを挟着する。そのため、本体をしっかりとプレートに固定することができる。
【００１２】
ソケットが本体に螺合しており、ロック部材がストッパに対して半径方向移動自在に取り付けられているワンタッチキャップ（請求項４）は、ロック部材が本体から分離しないので、見失うおそれが少ない。なお、ソケット側に設けることもできるが、ソケットは本体に対して回転するため、ストッパの位置を合わせる操作が必要になる。そのためストッパ側に設けるのが好ましい。
【００１３】
前記ストッパが本体の雄ネジに螺合され、かつ、その回転を止める手段を備えているワンタッチキャップ（請求項５）は、ストッパをネジ部に固定しうるので、本体の雄ネジ部のネジ山を端部まで形成することができる。そのため、本体の他方の端部にネジ部よりも径が大きい部位を設けることができる。
【００１４】
前記プレートが、実質的に円形の開口部と、その開口部の直径より幅が狭い挿入口とを有する場合で、前記ソケットおよび（または）ストッパのプレートと当接する面に、開口部と嵌合する突起を設けたワンタッチキャップ（請求項５）では、一旦プレートにワンタッチキャップを取り付けると、ワンタッチキャップに挿入口方向の大きい力が加わっても、突起が開口部の内縁と係合するので、ワンタッチキャップは挿入口からがら抜け出ない。
【００１５】
【発明の実施の形態】
つぎに図面を参照しながら本発明のワンタッチキャップの実施の形態を説明する。図１ａは本発明のワンタッチキャップの一実施形態を示す一部断面側面図、図１ｂは図１ａのI-I 線断面図、図２はそのワンタッチキャップの組立前の状態を示す一部断面側面図、図３はそのワンタッチキャップにおけるストッパとロック部材の組立前の斜視図、図４は図１ａのIV-IV 線断面図、図５ａはそのワンタッチキャップのプレートに取り付けた状態を示す一部断面側面図、図５ｂは図５ａのV-V 線断面図である。
【００１６】
図１ａおよび図１ｂに示すワンタッチキャップ１０は、プレート１１にコントロールケーブル１２の端部を取り付けるためのものであり、コントロールケーブル１２の端部に固定される円筒状の本体１４と、その本体１４に形成された雄ネジ１６の周囲に螺合されるソケット１７と、そのソケット１７を雄ネジ１６に沿って螺進させる方向に回転付勢するためのリコイルバネ１８と、ソケット１７に対向するように本体１４上に固定されるストッパ１９と、そのストッパ１９に対して上下方向に移動自在に設けられるロック部材２０とを備えている。
【００１７】
前記プレート１１は、図１ｂに示すように、端縁２２に近い位置に設けた円形の開口部２３と、その開口部２３から端縁２２に連通する挿入口２４とからなるＵ字状の切り欠き２５を有する。挿入口２４の幅Ｗは、開口部２３の径Ｄよりいくらか狭い。そのため開口部２３の挿入口２４に近い部分には、左右の肩部２６が形成される。
【００１８】
前記コントロールケーブル１２は押し引きコントロールケーブルであり、導管３１とその導管内に摺動自在に収容される押し引き両方向の力を伝達する内索３２とからなる公知のものである。また前記本体１４は図２に示すように、雄ネジ１６以外は公知の構成を備えている。すなわちこの本体１４は、一端側がコントロールケーブル１２の導管３１の周囲にかしめられ、他端側にフランジ３４を有する第１ケーシングキャップ３５と、そのフランジ３４の周囲を保持すると共に球面状の凹所３６を有するゴムないし軟質合成樹脂製のホルダー３７と、凹所３６内に首振り自在に収容される球面状の膨大部を有するガイドパイプ３８と、ガイドパイプの揺動を許容するためのテーパー状の内面３９を備えた第２ケーシングキャップ４０と、その第２ケーシングキャップ４０の基端４０ａ側のフランジ４４、ホルダー３７および第１ケーシングキャップ３５のフランジ３４を一体に嵌合保持するケース４１とを有する。
【００１９】
前記ガイドパイプ３８には公知のロッド（図示していない）が摺動自在に収容され、そのロッドの基端部に、図１の導管３１から出てくる内索３２の端部が固着される。前記第２ケーシングキャップ４０の表面には、前記雄ネジ１６が形成され、先端にストッパ１９の回転を規制するための溝４２を有する。雄ネジ１６はこの実施形態では台形ネジで、右ネジにしており、第２ケーシングキャップ４０の先端（図１の左端）まで形成されている。なおこの実施形態では、本体１４の右側（図２の右側、以下同じ）はホルダー３７やケース４１があるので径が大きいため、ソケット１７やストッパ１９を左側から挿入するようにしている。さらに第２ケーシングキャップ４０は肉厚が薄いため、先端側にストッパ１９を係止するための小径の段部を形成するのが困難である。そのため、雄ネジ１６を先端まで形成し、ストッパ１９を雄ネジ１６に螺合した上で固定している。
【００２０】
前記ソケット１７は有底筒状の部材であり、本体１４のケース４１（および第２ケーシングキャップ４０の後端のフランジ４４）の外周面と回転自在および軸方向摺動自在に嵌合する内面４５を有する。そして底部４６の中心に貫通孔が形成され、その内面に雄ネジ１６と螺合する雌ネジ４７が形成されている。そしてストッパ１９と対向する面（図２における左側の面）にはプレート１１の円形の開口部２３の内面と嵌合する環状の突起４８が設けられている。なお図２の符号４９は、つぎに説明するリコイルバネ１８の逆向きに折り曲げた折り曲げ部５０を係止するための係止溝である。
【００２１】
前記リコイルバネ１８は、一端に本体１４の第２ケーシングキャップ４０と係止する半径方向内側に折り曲げた折り曲げ部（図示していない）を有し、他端にソケット１７の係止溝４９と係止するための折り曲げ部５０を有する螺旋状のバネである。その折り曲げ部５０は、軸方向に対していくらか角度が付くように、逆向きに折り曲げている。このリコイルバネ１８は前述のようにソケット１７を雄ネジ１６に沿って螺進させる方向に回転付勢するため、左ネジの方向に巻いている。さらにこの実施形態では、ソケット１７を軸方向に押圧する圧縮バネとしての作用をも奏する。
【００２２】
図３に示すように、前記ストッパ１９は、円筒状のボス部５２と、そのボス部の一端側（図３の左側）に設けたベース板５３と、他端側に設けた当接板５４とを有し、通常は合成樹脂で一体に成形される。ベース板５３に輪郭は略Ｄ字状を呈しており、当接板５４は略Ｕ字状を呈している。ベース板５３と当接板５４の上端近辺は連結部５５で連結されている。ベース板５３の内面には、ロック部材２０の上下動を案内するための２本のガイド突条５６が形成されている。さらに図２に示すように、ベース板５３の裏面側には、第２ケーシングキャップ４０の先端の溝４２と弾力的に係合する爪部材５７が左右に半径方向の内側に突出するように一体に設けられている。
【００２３】
当接板５４は前記ソケット１７と共にプレート１１を挟着する部分であり、ロック部材２０のスライド部６８を摺動自在に案内するべく、ベース板５３との間に隙間Ｓを設けている。隙間Ｓはストッパ１９の側面側に貫通している。そしてその上部にはロック部材２０を前後に通すための切り欠き５９が形成されている。それによりベース板５３の上部内面と、当接板５４の上部内面と、連結部５５の内面とにより、上下に延びるコ字状のガイド溝６１が形成される。
【００２４】
さらに当接板５４の表面（当接面）５４ａからは、ボス部５２を延長するように、上部突起６２と下部突起６３とが突出している。ボス部５２、上部突起６２および下部突起６３の内面には、本体１４の雄ネジ１６と螺合する雌ネジ６４が形成されている。なお上部突起６２および下部突起６３を筒状にせず、側方を切り欠いた形状にしているのは、プレート１１の挿入口２４に挿入するためである。さらに上部突起６２の上面には、ロック部材２０の下降端を定める平坦部６５が設けられている。
【００２５】
図３に示すように、前記ロック部材２０は、ストッパ１９によって上下方向に案内されるスライド部６８と、その前側に配置される介在部６９とを有する。介在部６９はストッパ１９とソケット１７との間に介在される部分であり、プレート１１の厚さよりいくらか厚い。スライド部６８と介在部６９の間には、ストッパ１９の当接板５４の上部を受け入れる縦方向の溝７０が設けられている。スライド部６８の後面には、ストッパ１９の左右のガイド突条５６と摺接するガイド溝７１が設けられている。そしてスライド部６８の左右端には、ストッパ１９の隙間Ｓ内を上下に移動すると共に、上下動の上端で連結部５５の下面と当接する係止爪７２が設けられている。係止爪７２は弾性変形が可能な弾性片７３の下端に外向きに設けられている。
【００２６】
介在部６９の左右端からは左右一対の脚７４が下方に突出している。それらの脚７４は、後述するように、ワンタッチキャップ１０をプレート１１に装着するときにプレート１１の端縁２２が当接する部位である（図５ａ、図５ｂ参照）。また介在部６９の下面で、脚７４の間の左右端には、ロック部材２０が下降したとき、ストッパ１９の平坦部６５と当接する平坦面７５が設けられている。それらの間は、図４に示すようにロック部材２０が下降したときにボス部５２から逃げることができ、かつ、図５ｂに示すように上昇したときにソケット１７から逃げることができるように、円弧状の凹陥部７６とされている。
【００２７】
上記の部品から図１のようなワンタッチキャップ１０を組み立てるには、まず、従来と同様に、第１ケーシングキャップ３５にコントロールケーブル１２を装着した後、図２のように本体１４を組み立てる。すなわちホルダー３７に第１ケーシングキャップ３５およびガイドパイプ３８を組み付け、第２ケーシングキャップ４０に装着し、その上からケース４１をアウトサート成形する。なお図２の符号８０はケース４１に設けた貫通孔であり、その内部に第２ケーシングキャップ４０の基端４０ａを圧入して第２ケーシングキャップ４０をケース４１に一体化する。
【００２８】
さらに本体１０の第２ケーシングキャップ４０の周囲にリコイルバネ１８を装着し、奥側の一端を第２ケーシングキャップ４０に係止する。ついで図２の左側からソケット１７を挿入し、雄ネジ１６に螺合する。そのとき、螺合の途中でリコイルバネ１８の逆向きの折り曲げ部５０がソケット１７の係止溝４９に自然と挿入され、そのまま係止される。
【００２９】
他方、図４に示すように、ストッパ１９の上部にロック部材２０を組み付ける。組み付け時には、係止爪７２が連結部５５の内面側を通るときに弾性片７３が内側に撓む。組み付け後は弾性片７３が復帰して、係止爪７２は連結部５５の下方に位置する。このように組み付けた状態では、図４に示すように、ロック部材２０は、左右の平坦面７５がストッパ１９の平坦部６５と当接する位置から係止爪７２が連結部５５の下面に当接するまでの範囲で上下に移動自在である。その間の移動はガイド突条５６とガイド溝７１との摺動、および係止爪７２ないし弾性片７３とガイド溝６１との摺接により案内される。なお各摺動部には、ロック部材２０の動きが止められる程度の摩擦力が働くようにするのが好ましい。それにより本体１４の姿勢によってロック部材２０が上下動することが避けられる。
【００３０】
ついでロック部材２０が取り付けられたストッパ１９を、前述のソケット１７が取り付けられた後の本体１４に取り付ける。そのとき、図２に示す第２ケーシングキャップ４０の雄ネジ１６の周囲にストッパ１９のボス部の雌ネジを螺合して、先端の溝４２にストッパ１９の爪部材５７を係合し、ストッパ１９の本体１４への取り付けが完了する。
【００３１】
そしてリコイルバネ１８の付勢力に抗してソケット１４を回動させ、図１の右側に移動させる。それによりソケット１７の当接面１７ａとストッパ１９の当接面５４ａとの間に隙間があくので、ロック部材２０の上面を押し下げて、それらの当接面１７ａ、５４の間にロック部材２０の介在部６９を挿入し、ソケット１７の回動を規制する。それにより図１に示すようなワンタッチキャップ１０が得られる。
【００３２】
その状態ではソケット１７を離してリコイルバネ１８の付勢力で回動させても、ソケット１７の当接面１７ａがロック部材２０の介在部６９に当接して、それ以上のストッパ１９側への移動が拘束される。したがって、ソケット１７とストッパ１９の各当接面１７ａ、５４ａの間には、プレート１１が挿入される隙間が残された状態となる（図１および図４参照）。
【００３３】
上記のように構成されるワンタッチキャップ１０をプレート１１に取り付ける場合は、まず、図１ａに示すように、プレート１１に対してワンタッチキャップ１０を直角に保持し、当接面１７ａ、５４ａ同士の間の部分を、プレート１１の挿入口２４から挿入する。そのとき、本体１４の中心が円形の開口部２３の中心に至る前に、ロック部材２０の左右の脚７４の下端がプレート１１の端縁２２に当接する。そしてさらにワンタッチキャップ１０を開口部２３の中心側に押し込むと、ロック部材２０はプレート１１によって移動を妨げられるので、ワンタッチキャップ１０の本体１４に対して上向き（矢印Ｕ）に押される。そのため、ロック部材２０はそれ以上下方に移動せず、ストッパ１９内を相対的に上向きに移動することになる。
【００３４】
そして図５ｂに示すように、ワンタッチキャップ１０の中心がプレート１１の開口部２３の中心に来たとき、ロック部材２０の介在部６９の下面（凹陥部７６）がソケット１７の上面よりも上側に移動し、介在部６９によるソケット１７の拘束が外れる。そのためソケット１７がリコイルバネ１８の付勢力に従い、雄ネジ１６上を回転し、図５ａに示すようにストッパ１９に向かって矢印Ｑ方向に移動する。そのため、ソケット１７とストッパ１９がプレート１１を挟着すると共に、ソケット１７の環状の突起４８がプレート１１の開口部２３内に嵌合する。それによりワンタッチキャップ１０のプレート１１への取り付けが完了する。
【００３５】
上記のように、このワンタッチキャップ１０は、ロック部材２０の介在部６９がストッパ１９とソケット１７の間に介在されているので、ソケット１７がストッパ１９側に付勢されているにも関わらず、プレート１１を挿入する隙間が維持される。そのため、装着時にはソケット１７を保持する必要がない。さらにワンタッチキャップ１０をプレート１１の挿入口２４から挿入して行くだけで自然とロックが解除されるので、そのまま装着が完了する。したがって片手でも簡単に装着することができる。
【００３６】
さらに一旦、ワンタッチキャップ１０がプレート１１に装着された後は、ソケット１７がリコイルバネ１８によってストッパ１９側に螺進するように付勢されるので、軸方向の外力を受けても、ずれることがない。すなわち軸方向のガタが生じないように固定される。また環状の突起４８が図１ｂの肩部２６と係合するので、ワンタッチキャップ１０がプレート１１から抜け出ることがない。
【００３７】
上記の実施形態では、ロック部材２０をプレート１１の端縁２２と当接するようにしているが、プレート１１の表面に突起などの係合部を設け、その係合部にロック部材を当接させてストッパに対して移動させるようにしてもよい。前記プレート１１の端縁２２はプレート１１に形成した幅が広い切り欠きの底部であってもよく、さらにプレートに貫通させた開口の内縁であってもよい。また、上記の実施形態では、ソケット１７と本体１４をネジによって結合しているが、本発明におけるストッパやロック部材は、単にソケットを軸方向に移動自在に結合させる場合にも適用することができる。その場合はリコイルバネ１８に代えて、単なる圧縮コイルバネや皿バネなどの直進方向に押圧するバネを用いることができる。また、ソケット１７が回転しないため、ロック部材２０をソケット側に設けることもできる。また、前記実施形態ではプレート１１の挿入口２４の幅Ｗを開口部２３の直径Ｄより狭くしているが、同じ幅にすることもできる。その場合はストッパ１９とソケット１７の挟着による摩擦力でプレート１１からの抜けを拘束することになる。
【００３８】
また、前記実施形態では、本体１４の第２ケーシングキャップ４０に設けた雄ネジ１６にストッパ１９を螺合しているが、第２ケーシングキャップ４０の先端に嵌合用の小径の段部を形成し、その先端にストッパ１９を回転しないように嵌合させてもよい。さらに第２ケーシングキャップ４０のフランジ（図４の符号４４）とストッパとを一体に形成することもできる。その場合はソケット１７は左側に配置し、右側に移動してプレート１１を挟み付けることになる。また、ソケット１７に設けた突起４８は、必ずしも環状にする必要がなく、肩部２６と係合する部位のみに設けてもよい。さらに環状の突起４８はストッパ側に設けることもでき、ソケットとストッパの両方に設けることもできる。さらに本発明のワンタッチキャップは、押し引きコントロールケーブルのほか、引きケーブルにも使用しうる。また、ケーブルの端部だけでなく、途中の部分にも設けることができる。
【図面の簡単な説明】
【図１】  図１ａは本発明のワンタッチキャップの一実施形態を示す一部断面側面図、図１ｂは図１ａのI-I 線断面図である。
【図２】  そのワンタッチキャップの組立前の状態を示す一部断面側面図である。
【図３】  そのワンタッチキャップにおけるストッパとロック部材の組立前の斜視図である。
【図４】  図１ａのIV-IV 線断面図である。
【図５】  図５ａはそのワンタッチキャップのプレートに取り付けた状態を示す一部断面側面図、図５ｂは図５ａのV-V 線断面図である。
【図６】  従来のワンタッチキャップの一例を示す概略平面断面図である。
【図７】  図６におけるプレートの正面図である。
【符号の説明】
１０  ワンタッチキャップ
１１  プレート
１２  コントロールケーブル
１４  本体
１６  雄ネジ
１７  ソケット
１７ａ  当接面
１８  リコイルバネ
１９  ストッパ
２０  ロック部材
２２  端縁
２３  開口部
２４  挿入口
２５  切り欠き
２６  肩部
３１  導管
３２  内索
３４  フランジ
３５  第１ケーシングキャップ
３６  凹所
３７  ホルダー
３８  ガイドパイプ
３９  内面
４０  第２ケーシングキャップ
４０ａ  基端
４１  ケース
４２  溝
４４  フランジ
４５  内面
４６  底部
４８  突起
４９  係止溝
５０  折り曲げ部
５２  ボス部
５３  ベース板
５４  当接板
５４ａ  当接面
５５  連結部
５６  ガイド突条
５７  爪部材
Ｓ  隙間
５９  切り欠き
６１  ガイド溝
６２  上部突起
６３  下部突起
６４  雌ネジ
６５  平坦部
６８  スライド部
６９  介在部
７０  溝
７１  ガイド溝
７２  係止爪
７３  弾性片
７４  脚
７５  平坦面
７６  凹陥部
８０  貫通孔
【図１】
0004500422.tif 000002
【図２】
0004500422.tif 000003
【図３】
0004500422.tif 000004
【図４】
0004500422.tif 000005
【図５】
0004500422.tif 000006
【図６】
0004500422.tif 000007
【図７】
0004500422.tif 000008